(57)【要約】【課題】産業資材用途に利用されるネットおいて、力を加え続けずとも網目を開いた状態に保持でき、網目の大きさが５ｍｍ以上の菱目組織経編網地を製造するために、網目が密に詰まった原反端部構造を有する菱目経編網地を提供する。【解決手段】鎖編と挿入編から成り、鎖編が網目を形成し、挿入編は網糸を保持する役割を有しており、網目の大きさが５ｍｍ以上の組織を有する菱目組織経編網地にあって、一定の間隔で網目を閉じるように交差する鎖編組織（図５）を原反端部に重ねて導入することで網目が密に詰まった原反端部構造を有した菱目組織経編網地（図２）を製造する。【選択図】図２
2020172711.tif 000002
【特許請求の範囲】
【請求項１】
一定の間隔に配列された鎖編が隣接する鎖編と一定の間隔で交差することにより網目を形成し、１本の鎖編に対して２本の挿入編がジグザグに挿入されることで網糸を形成する菱目組織経編網地にあって、網目が密に詰まった原反端部構造を有する菱目組織経編網地
【請求項２】
一定の間隔で網目を閉じるように交差する組織を原反端部に重ねて導入した請求項１記載の菱目組織経編網地および網地
【請求項３】
原反端部構造の箇所を除く箇所の網目の大きさが５ｍｍ以上である請求項１または２記載の菱目組織経編網地および網地
【請求項４】
原反端部の幅が１ｃｍから１０ｃｍの間にある請求項１乃至３記載の菱目組織経編網地
【請求項５】
原反編網後にピンテンター機によって熱処理を行うことで製造される請求項１乃至４のいずれかに記載の菱目組織経編網地
【請求項６】
鎖編および挿入編を構成する繊維として、ポリエステル糸、ポリアミド糸、ビニロン糸、ポリエチレン糸、ポリプロピレン糸等が用いられる請求項１乃至５のいずれかに記載の菱目組織経編網地
【請求項７】
一定の間隔に配列された鎖編が隣接する鎖編と一定の間隔で交差することにより網目を形成し、１本の鎖編に対して２本の挿入編がジグザグに挿入されることで網糸を形成する菱目組織経編網地にあって、一定の間隔で網目を閉じるように交差する組織を重ねて導入することで網目が密に詰まった原反端部構造を有する菱目組織経編網地の製造方法
【発明の詳細な説明】
【技術分野】
【０００１】
本発明は、建築現場の作業者墜落防止、工具等の落下物やコンクリートはく落物の捕捉用のネットに用いることができ、工場内での仕立て加工や施工現場での作業性に優れた菱目組織経編網地および菱目組織経編網地の製造方法に関わる。
【背景技術】
【０００２】
ラッセル機を用いて製造される菱目組織経編網地は建築現場の作業者墜落防止、工具等の落下物の捕捉、コンクリートはく落物等の捕捉（特許文献１）、河川や海岸に設置される護岸材などの広い産業資材分野に用いられている。
この菱目組織経編網地は、原料には産業用合成繊維（ナイロン糸、ポリエステル糸、ビニロン糸、ポリエチレン糸、ポリプロピレン糸等）が使用され、網目の大きさは５ｍｍ〜１００ｍｍのものが存在し、整経−編網−熱処理−仕立ての４工程から製造される。
菱目組織経編網地の組織は鎖編と挿入編から成り、主に鎖編が網目を形成し、挿入編は網糸を保持する役割を有している。より具体的には、一定の間隔で配列された鎖編Ｃ１が隣接する鎖編Ｃ２と一定の間隔で交差することにより網目を形成し、１本の鎖編に対して２本の挿入編がジグザグに挿入することで網糸を形成している。また、原反端部構造に目を向けると、鎖編Ｃ３は鎖編Ｃ１とのみ交差し、他方の端部組織ではその逆に鎖編Ｃ４は鎖編Ｃ２とのみ交差する。
ラッシェル機において組織は筬の横移動によって編まれ、１つの筬につき１つの組織が対応している。上記の菱目組織経編網地では鎖編Ｃ１、鎖編Ｃ２、鎖編Ｃ３、鎖編Ｃ４の組織に加え、４本の挿入編を担当する組織が必要であることから８枚筬のラッセル機が主に利用される。
【０００３】
この菱目組織経編網地は優れた強度性能を有する反面、ネットに力を加え続けなければ網目が広げられず、形状安定性に問題があることが知られており、仕立て加工現場や施工現場における作業性を低下させている。
菱目組織経編網地は編網後に、原反を長さ方向に引張りながら網目が閉じた状態で熱処理が行われている。熱処理とは繊維に加わった機械的な歪みを緩和させる工程であるから、熱処理後の原反は網目が閉じた状態が標準の状態となる。従って、力を加えて網目を開いても、力を除くと網目が閉じた状態に戻るという上述の形状安定性の問題が発現する。
【０００４】
一方で、原反の幅方向に引っ張りながら熱処理を行うピンテンター機が知られている。ピンテンター機は一般にピンを原反の両端部に刺して固定することから、密に詰まった生地または網目の大きさが５ｍｍ未満の網にのみ適用できることが知られている。
【０００５】
その他、形状安定性にすぐれる角目編地（特許文献２）を適用することも考えられるが、角目編地では網目が開閉し難いことから、本来の目的の一つである作業者墜落時の衝撃吸収性が得られないという問題が生じることになる。
【先行技術文献】
【特許文献】
【０００６】
【特許文献１】特開２００５−１７９９３８号公報
【特許文献２】特開２０１７−１０１３３９号公報
【発明の概要】
【発明が解決しようとする課題】
【０００７】
本発明は、上記の課題を鑑みて成されたもので、その目的とするところは建築現場の作業者墜落防止、工具等の落下物の捕捉やコンクリートはく落物等の捕捉、河川や海岸に設置される護岸材など産業資材用途に利用されるネットおいて、ネットに力を加え続けずとも網目を開いた状態に保持でき、網目の大きさが５ｍｍ以上の菱目組織経編網地を製造するために、網目が密に詰まった原反端部構造を有する菱目組織経編網地を提供するものである。
【課題を解決するための手段】
【０００８】
本発明では、一定の間隔に配列された鎖編Ｃ１が隣接する鎖編Ｃ２と一定の間隔で交差することにより網目を形成し、１本の鎖編に対して２本の挿入編がジグザグに挿入されることで網糸を形成し、網目の大きさが５ｍｍ以上である菱目組織経編網地にあって、一定の間隔で網目を閉じるように交差する組織（図５）を原反端部に重ねて導入することで網目が密に詰まった原反端部構造を形成する。
【０００９】
この原反端部構造を導入する原反端部幅を広くすると原反の単位面積当たりの重量が重くなりコストが増加するが、ピン取付け位置の自由度が高くなり、逆に幅を狭くすると単位面積当たりの重量が軽くなりコストが減少するが、ピン取付け位置の自由度が低くなる。バランスの取れた原反端部構造を導入する原反端部幅は１ｃｍ〜８ｃｍ程度が望ましいが、本発明はこの限りではない。
【発明の効果】
【００１０】
本発明により、網目が密に詰まった原反端部にピンを刺すことができるため、菱目組織経編網地をピンテンター機にセットして幅方向に引張りながら熱処理を行うことができる。これにより、力を加えずとも網目が開いた状態で保持できる菱目組織経編網地を提供でき、加工現場や施工現場における作業性の改善に寄与する。
本発明の別の効果としては、芯鞘複合型熱融着糸を素材に用いた菱目組織経編網地において、網目が密に詰まった原反端部にピンを刺し、網目を開きながらピンテンター機で熱処理を行うことで、網目が開いた状態で高度に融着し、高剛性に優れる菱目組織経編網地を得ることができることも挙げられる。
本発明の別の効果としては、網目が密に詰まった原反端部同士または原反端部と織物や不織布など生地の縫製加工が容易になることも挙げられる。従来の菱目組織経編網地では、網目が開閉するため、原反端部同士または原反端部と織物や不織布など生地の縫製加工の作業性や縫製強度に難があった。縫製加工は熱処理の前に行っても良いし、後に行っても良い。
【図面の簡単な説明】
【００１１】
【図１】従来の菱目組織経編網地の網組織である。
【図２】本発明の実施例の原反端部構造の平面図である。
【図３】従来の菱目組織経編網地における各鎖編の組織図の一例である。
【図４】図３の鎖編を組み合わせた組織図の一例である。
【図５】本発明の実施例における各鎖編の組織図である。
【図６】図５の鎖編を組み合わせた組織図の一例である。
【発明を実施するための形態】
【００１２】
以下、実施例に基づいて本発明を説明するが、本発明は実施例に限定されるものではない。本発明は一定の間隔で網目を閉じるように交差する組織（図５）を原反端部に重ねて導入するという工夫によって、網目が密に詰まった原反端部構造を提供できるという知見に基づくものとして、解釈されるべきである。
＜実施例１＞
鎖編および挿入編を構成する糸として、１１００デシテックスのポリエステル繊維を２本引き揃えた糸を準備する。幅方向の網糸の本数は１７０本とし、その内両端から１４本分を本発明の端部構造とするように設定し、ゲージ数９で８枚筬のラッセル機を用いて図５に示した組織を組み合わせてラッセル網地を製造した。製造された網地の原反は、原反幅が約１．３ｍであり、原反中央部では概ね菱形で、網目の大きさが約１０ｍｍであり、原反端部では約５ｃｍ幅の網目が密に詰まった構造部を有していた。
＜実施例２＞
実施例１に記載の菱目経編網地の網目が密に詰まった原反端部にピンを刺し、ピンテンター機にて途中で幅２．０ｍとなるよう網目を拡張しながら１７０℃で熱処理をする。得られた原反は網目が開いた状態が標準であるため、力を加えれば網目を開閉できるが、力を除去すると網目が開いた状態に戻る機能を有している。
【符号の説明】
【００１３】
１ａ、１ｂ                                鎖編
２ａ、２ｂ、２ｃ、２ｄ                    挿入編
３                                        交差部
４                                        網目
５                                        網目の大きさ
６                                        網糸
７                                        本発明における原反端部構造の実施例
【図１】
2020172711.tif 000003
【図２】
2020172711.tif 000004
【図３】
2020172711.tif 000005
【図４】
2020172711.tif 000006
【図５】
2020172711.tif 000007
【図６】
2020172711.tif 000008
【手続補正書】
【提出日】令和2年5月7日(2020.5.7)
【手続補正１】
【補正対象書類名】特許請求の範囲
【補正対象項目名】全文
【補正方法】変更
【補正の内容】
【特許請求の範囲】
【請求項１】
一定の間隔に配列された鎖編が隣接する鎖編と一定の間隔で交差することにより網目を形成し、１本の鎖編に対して２本の挿入編がジグザグに挿入されることで網糸を形成する菱目組織経編網地にあって、一定の間隔で網目を閉じるように交差する組織を原反端部に重ねて導入し、網目が密に詰まった原反端部構造を有する菱目組織経編網地。
【請求項２】
原反端部構造の箇所を除く箇所の網目の大きさが５ｍｍ以上である請求項１記載の菱目組織経編網地および網地。
【請求項３】
原反端部の幅が１ｃｍから１０ｃｍの間にある請求項１乃至２記載の菱目組織経編網地。
【請求項４】
原反編網後にピンテンター機によって熱処理を行うことで製造される請求項１乃至３のいずれかに記載の菱目組織経編網地。
【請求項５】
鎖編および挿入編を構成する繊維として、ポリエステル糸、ポリアミド糸、ビニロン糸、ポリエチレン糸、ポリプロピレン糸等が用いられる請求項１乃至４のいずれかに記載の菱目組織経編網地。
【請求項６】
一定の間隔に配列された鎖編が隣接する鎖編と一定の間隔で交差することにより網目を形成し、１本の鎖編に対して２本の挿入編がジグザグに挿入されることで網糸を形成する菱目組織経編網地にあって、一定の間隔で網目を閉じるように交差する組織を重ねて導入することで網目が密に詰まった原反端部構造を有する菱目組織経編網地の製造方法。